(57)【要約】【課題】簡単にかつ迅速にチェーンカップリングの分解および再組立を行なうことができる、チェーンカップリングの分解組立装置を得ることにある。【解決手段】チェーンカップリングは離間して配置された一対のスプロケット部材（１０，１１）とスプロケット部材に巻き掛けられたチェーン（１２）とを有し、チェーンはリンクピン（１８）により連結されたチェーンリンク（１７）からなる。分解組立装置はチェーンに装着されるピン支持体（２０）を備え、ピン支持体はチェーンの側面を覆う壁部（２１，２２）、壁部にある作業孔（２４，２５）および作業孔をリンクピンに一致させる位置決め部（２７）を備える。分解はピン支持体をチェーンに嵌め、工具を一方の作業孔に挿入しかつ打ち込み、リンクピンを他方の作業孔から押し出すことで、再組立はピン支持体をチェーンに装着し、工具によって一方の作業孔からリンクピンを打ち込むことで行なう。【選択図】　図１
2004082305.tif 000002
【特許請求の範囲】
【請求項１】
離間して配置された一対のスプロケット部材とこれらのスプロケット部材のスプロケット車に巻き掛けられたエンドレスのチェーンとを有し、チェーンがリンクピンによって連結された複数のチェーンリンクからなるチェーンカップリングの分解組立装置であって、前記チェーンに装着されるピン支持体を備え、該ピン支持体が、前記チェーンの側面を覆う壁部と、該壁部に設けられた作業孔と、前記チェーンに装着したときに前記作業孔を前記リンクピンに一致させる位置決め部とを備えていること、を特徴とするチェーンカップリングの分解組立装置。
【発明の詳細な説明】
【０００１】
【発明の属する技術分野】
この発明はチェーンカップリングの分解組立装置に関している。
【０００２】
【従来の技術】
チェーンカップリングは、たとえば駆動側シャフトと従動側シャフトとを連結するために用いられている。
【０００３】
チェーンカップリング自体は、間隔をおいて同軸配置された一対のスプロケット部材と、これらのスプロケット部材にあるスプロケット車に巻き掛けられたエンドレスのチェーンとからなっており、片方のスプロケット部材を駆動側シャフトに，もう片方のスプロケット部材を従動側シャフトにそれぞれ嵌めかつこれらを結合することで、シャフト同士を連結している。
【０００４】
チェーンカップリングは、カップリングそのものの交換だけでなく、カップリングによって連結されたシャフト、シャフトを保持する軸受の交換や、さらにシャフトによって駆動される機器につながるベルトの交換などのために、シャフトから取り外される。
【０００５】
分解は、通常、目測で位置を決めながら工具をリンクピンに当て、ハンマーによって工具をたたき、リンクピンを押し出してチェーンを切り離したあと、スプロケット部材をシャフトから抜き出すことによって行なわれている。
【０００６】
再組立は、スプロケット部材をシャフトに嵌め、スプロケット部材のスプロケット車の歯を一致させ、スプロケット車の中心軸の傾きやスプロケット車の間隔などを調整したあと、スプロケット車にチェーンを巻き掛け、チェーン両端にあるチェーンリンクにあるピン孔にリンクピンを圧入することによって行なわれている。
【０００７】
【発明が解決しようとする課題】
しかしながら、これらの分解および再組立作業は、シャフトや軸受などを傷めないようにしなければならず、加えて、チェーンカップリングは合成樹脂からなっていることが多いため、チェーンを損傷させないようにしなければならず、かなり手間を要している。
【０００８】
さらに、工場レイアウトは工場ごとに異なっており、チェーンカップリングも様々な場所に配置されているため、損傷なしに分解および再組立をしなければならないことと相俟って、かなりの熟練したあるいは専門性をもつ技術を必要としている。
【０００９】
たとえば、スペース効率を高めるために、駆動側シャフトが天井に配置され、従動側シャフトも天井に配置されかつ駆動側シャフトにチェーンカップリングによって連結され、床面に配置された加工機械や搬送装置は従動側シャフトから動力を伝達することが行われている。このような場合、リンクピンの押し出しおよび押し込みはシャフト、軸受、チェーンなどを傷めずに、しかも、部品を落下させずに行なわなければならず、さらに、これを無理な作業姿勢で行なうことを要求され、僅かなエラーが大きな事故につながる。このため、よく訓練された作業者が分解および再組立作業を行なっているのが現状であり、改善が嘱望されている。
【００１０】
そこで、本発明の目的は、簡単にかつ迅速に、チェーンカップリングの分解および再組立を行なうことができるようにすることにあり、このためのチェーンカップリングの分解組立装置を提供しようとするものである。
【００１１】
【課題を解決するための手段】
上記の目的を達成するために、本発明のチェーンカップリングの分解組立装置は、離間して配置された一対のスプロケット部材とこれらのスプロケット部材のスプロケット車に巻き掛けられたエンドレスのチェーンとを有し、チェーンがリンクピンによって連結された複数のチェーンリンクからなるチェーンカップリングの分解組立装置であって、チェーンに装着されるピン支持体を備え、該ピン支持体が、チェーンの側面を覆う壁部と、該壁部に設けられた作業孔と、チェーンに装着したときに作業孔をリンクピンに一致させる位置決め部とを備えていること、を特徴としている。
【００１２】
【作用】
本発明のチェーンカップリングの分解組立装置は、チェーンに装着されるピン支持体を備え、ピン支持体が、チェーンの側面を覆う壁部と、該壁部に設けられた作業孔と、チェーンに装着したときに作業孔を前記リンクピンに一致させる位置決め部とを備えているため、ピン支持体をチェーンに装着し、工具を作業孔に挿入しかつ打ち込むことによって、リンクピンがチェーンから外部に押し出される。また、ピン支持体をチェーンカップリングに再装着し、リンクピンを作業孔に挿入し、リンクピンを工具によって打ち込むことによって、チェーンが連結される。このときに、工具あるいはリンクピンを作業孔に挿入するだけで、リンクピンが所定位置に挿入される、つまり、目測による工具あるいはリンクピンの位置決めを必要としない。そして、リンクピンの周りがピン支持体によって覆われるため、工具がリンクピンから外れても、チェーンが合成樹脂であってもこれを破損させない。
【００１３】
【発明の実施の形態】
以下、図面を参照して、本発明によるチェーンカップリングの分解組立装置のある実施の形態を説明する。
【００１４】
チェーンカップリングは、ナイロンチェーンカップリングと呼ばれる公知の構成をもつもので、たとえば図１〜図５に示すように、一対のスプロケット部材１０，１１とひとつのエンドレスのチェーン１２とからなっている。
【００１５】
スプロケット部材１０は、たとえば炭素鋼からなるもので、両端を開放された中空円筒形をなすボス１３とスプロケット車１４とを有している。スプロケット車１４はボス１３と同軸に配置されかつボス１３と一体に形成されている。スプロケット部材１１は、図５によく示されているように、ボス１５とスプロケット車１６とをもつ、スプロケット部材１０と同じ構成をもつものからなっている。これらのスプロケット部材１０，１１は、対面する端部間に隙間を形成して、同軸配置されている。チェーン１２が各々のスプロケット部材１０，１１にあるスプロケット車１４とスプロケット車１６とに巻き掛けられている。チェーン１２は多数のチェーンリンク１７をリンクピン１８によって連結したものからなっている。各々のチェーンリンク１７は、ポリアセタール樹脂などの合成樹脂からなるもので、両端がたがいにかみ合っていると共にかみ合せ部分をリンクピン１８により連結されている。原動機につながる駆動側のシャフトＰはスプロケット部材１０のボス１３に、従動側のシャフトＳはスプロケット部材１１のボス１５にそれぞれ嵌められ、ボルトによって各々のスプロケット部材１０，１１に結合されている。
【００１６】
本発明によるチェーンカップリングの分解組立装置はピン支持体２０を備えている。ピン支持体２０は、一対の壁部２１，２２とこれらの壁部２１，２２を結合する壁部２３とをもつ、チャネル断面をなす部材からなっている。壁部２１，２２は、平行平面壁をもつ鋼板からなり、たがいに平行に配置されている。壁部２１，２２の内表面間の距離はチェーン１２の幅よりも僅かに広く、壁部２１，２２の間にチェーン１２に装着することができる。壁部２３も、平行平面壁をもつ鋼板からなり、壁部２１，２２の端部を架橋するように壁部２１，２２の間に配置されていると共に、壁部２１，２２に結合されている。
【００１７】
壁部２１，２２には、図３によく示されているように、作業孔２４，２５が設けられている。これらの作業孔２４，２５はピン支持体２０をチェーン１２に装着したときにリンクピン１８に一致するように、つまり、チェーンカップリングの回転中心軸と中心軸を共有し、チェーンカップリングの回転中心軸とリンクピン１８の中心軸とを半径とする円周上に孔中心を一致させて壁部２１，２２の各々に設けられている。
作業孔自体は、円筒孔からなり、同軸に壁部２１，２２に設けられている。内径はチェーンカップリングのリンクピン１８の直径よりも僅かに大きい。さらに片方の壁部２１には案内孔２６が設けられている。案内孔２６は作業孔２４と同軸に壁部２１に設けられている。案内孔自体は、直径が作業孔２４に向かうほどしだいに小さくなる孔、たとえば図３に示すような円錐孔となっている。
【００１８】
これらの作業孔２４，２５と壁部２３との間にはスプリングピン２７が配置されている。このスプリングピン２７は、ピン支持体２０をチェーン１２に装着したときに、チェーン１２の上面に接触して作業孔２４，２５をリンクピン１８に一致させるための位置決め部を構成している。スプリングピン自体は、両端を開放された中空管状のもので、中心軸がチェーンカップリングの回転中心軸と中心軸を共有し、チェーンカップリングの回転中心とチェーン１２の上面との間の距離を半径とする円上に作業孔２４，２５を通る垂直線に関して対象位置に配置されていると共に、両端が壁部２１，２２に圧入されている。
【００１９】
さらに作業孔２４，２５の下方には、球２８を含む位置決め部が設けられている。球２８は、チェーンカップリングの回転中心軸と中心軸を共有しかつチェーンカップリングの回転中心軸とチェーン１２の内面付近との間の距離を半径とする円上に配置されていると共に、ピン支持体２０をチェーン１２に装着したときに、球２８がチェーンリンク１７とチェーンリンク１７との間に接触するようにピン支持体上に配置されている。そして、球２８は、図４によく示されているように、一部を壁部２１の内面から突出させて、壁部２１にある孔２９に嵌められていると共に、孔２９に接着剤（図示せず）によって固定されている。球２８と壁部２２の内面との間の距離はチェーン１２の幅にほぼ等しくなっていて、ピン支持体２０をチェーン１２に装着したときに、球２８と壁部２２の内面とがチェーン１２の側面に圧着されるようにしている。
【００２０】
チェーンカップリングの分解は、図１および図２に示すように、チェーン１２をまたぐようにピン支持体２０をチェーン１２に嵌め込むことによって開始される。嵌め込むと、壁部２１，２２がチェーン１２の両側面に位置し、リンクピン１８のまわりを覆い、スプリングピン２７がチェーン１２の上面に接触して作業孔２４，２５とリンクピン１８と一致させ、球２８がチェーン１２の片側面に接触してチェーン１２の反対側面を壁部２２に押し付けて、ピン支持体２０にチェーン１２をぴったり保持させる。
【００２１】
チェーン１２の切り離しは、ピン状の先端をもつ工具などを使用し、工具の先端をリンクピン１８に当て、工具の反対端をハンマーなどでたたき、リンクピン１８を押し出したあと、ピン支持体２０をチェーン１２から外し、チェーン１２をスプロケット部材１０のスプロケット車１４およびスプロケット部材１１のスプロケット車１６から外すことによってなされる。それから、スプロケット部材１０，１１とシャフトＰ，Ｓとを結合しているボルトを外し、スプロケット部材１０，１１をシャフトＰ，Ｓから抜くことで、分解が終了する。
【００２２】
再組立は、駆動側シャフトＰ、従動側シャフトＳ、これらのシャフトＰ，Ｓを保持する軸受などの交換やチェーンカップリングを構成する部品の交換や調整などを行なったあと、スプロケット部材１０，１１をシャフトＰ，Ｓに嵌め、スプロケット車１４の歯とスプロケット車１６の歯とを合わせ、スプロケット車１４とスプロケット車１６との間の距離をセットし、スプロケット車１４，１６の傾きあるいは平行度を調整し、ボス１３，１５にボルトをねじ込んでスプロケット部材１０，１１をシャフトＰ，Ｓの各々に固定する。それから、チェーン１２をスプロケット部材１０のスプロケット車１４とスプロケット部材１１のスプロケット車１６とに巻き掛け、チェーン１２の両端となるチェーンリンク１７を嵌め合わせ、ピン支持体２０をチェーン１２に装着する。装着すると、チェーンリンク１７がピン支持体２０によって押さえられ、チェーンリンク１７のかみ合い状態が固定される。それから、片方の壁部２１からリンクピン１８を作業孔２４に挿入し、前記工具の先端をリンクピン１８の端部に当て、工具の反対端をハンマーによってたたき、チェーンリンク１７のピン孔にリンクピン１８を圧入してチェーンリンク１７を連結する。ピン支持体２０をチェーン１２から外すことで、再組立が終了する。
【００２３】
本発明による組立分解装置は、このように、チェーンカップリングの分解および再組立を行なうことができるばかりか、ピン支持体２０の壁部２４，２５がチェーン１２のリンクピン１８のまわりを覆い、しかも作業孔２４，２５のみからリンクピン１８を押し出しあるいは押し込むようにしているため、合成樹脂からなるチェーン１２を破損させることなしに、チェーンカップリングの分解あるいは再組立作業を行なうことができる。
【００２４】
さらに、ピン支持体２０をチェーン１２に装着したとき、スプリングピン２７が合成樹脂からなるチェーン１２の上面に線接触し、球２８がチェーン１２の側面に点接触するため、ピン支持体２０をチェーン１２に沿って単に滑らせるだけで、作業孔２４，２５をリンクピン１８に精密に一致させることができる。
【００２５】
さらに、ピン支持体２０はスプリングピン２７の上部に壁部２３を備えているため、上方からピン支持体２０をチェーン１２に装着しても、手で壁部２３を押さえることによってピン支持体２０を保持することができ、また下方からピン支持体２０をチェーン１２に装着したときにも、手で壁部２３を支えることによってピン支持体２０を保持することができ、作業姿勢にかかわりなく、ピン支持体２０をチェーンカップリングに確実に装着することができる。そして、壁部２３は平行平面壁からなるため、簡単に手で保持することができる。
【００２６】
さらに、ピン支持体２０をチェーン１２に装着すると、リンクピン１８がこのような作業孔２４，２５にガイドされつつチェーン１２から押し出されあるいはチェーン１２に押し込まれるため、リンクピン１８を確実にチェーン１２から押し出しあるいはチェーン１２に押し込むことができ、しかもピン支持体２０がかなり重いため、工具にかなりの衝撃力を加えても、作業を安定して行なうことができる。
【００２７】
さらに、案内孔２６が作業孔２４に向かうほど小さくなる直径を有しているため、案内孔２６に工具を挿入するだけで、工具の先端を作業孔２４に正確に導くことができる。
【００２８】
そして、装置の構造が簡単であり、小型かつ軽量であるため、管理を容易におこなえるばかりか、作業者がユーザを訪問するときにも、持ち運びの負担がすくない。
【００２９】
この組立分解装置ではさらに抜き具および差し込み具を具備していて、リンクピン１８の抜き出しおよび押し込みがより容易に行なえるようにしている。
【００３０】
抜き具は図６において参照符号３０によって示されている。抜き具３０は、炭素綱からなるもので、ピン部３１と打撃部３２とを有している。ピン部３１は作業孔２４，２５の直径よりも僅かに小さな直径をもつ円筒形をなすもので、打撃部３２と一体に形成されている。打撃部３２は、ピン部３１よりも大きな直径をもつ円筒形部材からなるもので、ピン部３１と同軸に配置されていると共に、ピン部３１と一体に形成されている。打撃部３２におけるピン部３１を向いた端部３３は円錐形状に形成されている。この円錐形端部３３は分解組立装置の案内孔２６に嵌り込むサイズと形状とを有している。ピン部３１の長さＬ３１は作業孔２４の深さと壁部２１，２２の内表面間距離とを合計した長さに等しく、円錐形端部３３の長さＬ３３は案内孔２６の深さに等しい。
【００３１】
チェーンカップリングの分解は、ピン支持体２０をチェーン１２に嵌め、作業孔２４，２５がリンクピン１８に一致したところで、片方の側面壁２１の側からピン部３１の先端をリンクピン１８に当てて、打撃部３２の後端をハンマーなどによってたたき、リンクピン１８を反対側にある壁部２２から抜き出すことによって行なう。
【００３２】
このときに、ピン部３１の長さＬ３１が作業孔２４の深さと壁部２１，２２の内表面間距離とを合計した長さに等しく、円錐形端部３３の長さＬ３３は案内孔２６の深さに等しいため、たんに円錐形端部３３が案内孔２６に嵌り込むまで押し込むだけで、リンクピン１８をチェーン１２から押し出すことができる。このため、押し込み深さを加減しながら、リンクピン１８を押し込み、何回かこれを繰り返してリンクピン１８を保持しなくてよいので、高所で作業を実施しても、リンクピン１８を落下させない。そして、ピン部３１がリンクピン１８に代わってチェーン１２の連結を維持し、チェーン１２が不用意にはずれることを防止しているため、チェーン１２なども落下させたりしない。
【００３３】
また、差し込み具は図７において参照符号４０によって示されている。この差し込み具４０も、炭素綱からなるもので、ピン部４１、止め部４２および打撃部４３を有している。ピン部４１は作業孔２４，２５の直径よりも僅かに小さな直径をもつ円筒形をなしている。止め部４２は案内孔２６に嵌るサイズをもつ円錐形部分と案内孔２６よりも直径が大きな円盤部分とからなっている。ピン部４１の長さＬ４１は作業孔２４の深さよりも僅かに長く、止め部４２の円錐形部分の長さＬ４２は案内孔２６の深さに対応している。このため、止め部４２が案内孔２６に嵌ると、ピン部４１の先端は壁部２１の内表面から僅かに突出する。打撃部４３はピン部４１の直径よりも大きく、止め部４２の直径よりも小さな直径をもつ円筒の形態をなすもので、ピン部４１および止め部４２と一体に形成されている。
【００３４】
チェーンカップリングの再組立は、前述のように、スプロケット車１４，１６の調整、チェーン１２のスプロケット車１４，１６への巻き掛け、ピン支持体２０のチェーン１２への装着、リンクピン１８の作業孔２４への挿入などを行なったあと、差し込み具４０のピン部４１をリンクピン１８の端部に当て、反対側端部にある打撃部４３をハンマーなどでたたき、リンクピン１８をチェーンリンク１７のピン孔に押し込むことによってなされる。このときにも、止め部４２が案内孔２６に嵌り込むまで、たんに打撃部４３をたたくだけでリンクピン１８はチェーン１２のチェーンリンク１７の間に正確にはめ込むことができ、チェーン１２あるいはチェーンリンク１７の反対側に飛び出さないため、簡単にかつ短時間でチェーン１２の連結を行なえ、作業に専門性を要求しない。
【００３５】
なお、以上説明した実施の形態において、作業孔２４，２５とリンクピン１８とを一致させるための位置決め部は、壁部２１，２２を架橋するスプリング２７からなっているが、壁部２１，２２あるいは壁部２３の内面に設けた突起あるいは突出などであってもよい。
【００３６】
また、チェーン１２は合成樹脂からなっているが、炭素綱のチェーン１２であっても、同様に、簡単にかつ短時間で、チェーン１２を傷つけることなしに、リンクピン１８の抜き出しおよび差し込みを行なうことができる。
【００３７】
【発明の効果】
本発明によるチェーンカップリングの分解組立装置は、以上説明したように、チェーンカップリングのチェーンに装着されるピン支持体を備え、ピン支持体がチェーンの側面を覆う壁部と壁部に設けられた作業孔とチェーンに装着したときに作業孔をチェーンのリンクピンに一致させる位置決め部とを備え、ピン支持体をチェーンに装着し、工具を作業孔に挿入しかつ打ち込んで、チェーンから外部に押し出したあと、ピン支持体をチェーンカップリングから外すことによって、チェーンカップリングの分解を行なえ、また、ピン支持体をチェーンカップリングに再装着し、リンクピンを作業孔に挿入し、このリンクピンを工具によって打ち込み、チェーンを連結することによって、チェーンカップリングの再組立を行なえるため、確実にかつ短時間でチェーンカップリングの分解および再組立を行なうことができる。
【００３８】
さらに、ピン支持体をチェーンに装着すると、チェーンの側面が壁部によって覆われるため、手元が狂っても、チェーンが損傷せず、さらに、リンクピンが作業孔に保持されかつ案内されつつチェーンから押し出されあるいは押し込まれるため、チェーンの切り離しあるいは接続を安定して行なうことができる。このため、確実にかつ短時間でチェーンカップリングの分解と再組立とを行なうことができることと相俟って、この種作業の専門家でなくても、チェーンカップリングの分解および再組立を行なうことができる。
【図面の簡単な説明】
【図１】本発明によるチェーンカップリングの組立分解装置のある実施の形態を示す正面図である。
【図２】図１の側面図である。
【図３】図１のＡーＡ線に沿う断面図である。
【図４】図１のＢ−Ｂ線に沿う断面図である。
【図５】図１に示す組立分解具の斜視図である。
【図６】図１に示す組立分解装置と一緒に使用される抜き具の側面図である。
【図７】図１に示す組立分解装置と一緒に使用される差し込み具の側面図である。
【符号の説明】
１０，１１　スプロケット部材
１２　　　　チェーン
１４，１６　スプロケット車
１７　　　　チェーンリンク
１８　　　　リンクピン
２０　　　　ピン支持体
２１，２２　壁部
２４，２５　作業孔
【図１】
2004082305.tif 000003
【図２】
2004082305.tif 000004
【図３】
2004082305.tif 000005
【図４】
2004082305.tif 000006
【図５】
2004082305.tif 000007
【図６】
2004082305.tif 000008
【図７】
2004082305.tif 000009